(57)【要約】【課題】冷感刺激成分を含有する外用剤が呈する冷感または温感刺激成分を含有する外用剤が呈する温感を客観的に容易に評価するために、ヒトの頚部などの部位における皮膚の表面温度を所定の温度に容易に制御することができる皮膚の表面温度制御装置を提供する。【解決手段】皮膚の表面温度を制御するための表面温度制御装置１であって、湾曲状に形成され、可撓性を有するヘッドベルト２、およびヘッドベルト２の両端に温度制御部３ａ，３ｂを有し、温度制御部３ａ，３ｂの表面温度を制御するための熱媒体供給路４が温度制御部３ａ，３ｂに配設されていることを特徴とする。【選択図】図１
0003180582.tif 000002
【実用新案登録請求の範囲】
【請求項１】
皮膚の表面温度を制御するための表面温度制御装置であって、湾曲状に形成され、可撓性を有するヘッドベルト、および当該ヘッドベルトの両端に温度制御部を有し、当該温度制御部の表面温度を制御するための熱媒体供給路が温度制御部に配設されていることを特徴とする皮膚の表面温度制御装置。
【請求項２】
熱媒体供給路が温度制御部の人体と接触する面に配設されてなる請求項１に記載の皮膚の表面温度制御装置。
【請求項３】
熱媒体供給路として熱媒体を導入するためのチューブが用いられ、当該チューブがヘッドベルトに内挿され、一方の温度制御部で巻回され、次いでヘッドベルトに内挿され、他方の温度制御部で巻回され、再びヘッドベルトに内挿されてなる請求項１または２に記載の皮膚の表面温度制御装置。
【考案の詳細な説明】
【技術分野】
【０００１】
本考案は、皮膚の表面温度制御装置に関する。さらに詳しくは、例えば、ヒトの頚部などの部位における皮膚の表面温度を所定の温度に容易に制御することができる皮膚の表面温度制御装置に関する。
【背景技術】
【０００２】
皮膚外用剤、頭髪外用剤などの外用剤には、皮膚に冷感を与える場合には冷感刺激成分が配合され、皮膚に温感を与える場合には温感刺激成分が配合されている（例えば、特許文献１および特許文献２参照）。
【０００３】
冷感刺激成分を含有する外用剤は、運動直後や入浴後などに使用されることが多いことから、一般に外用剤が呈する冷感は、運動直後や入浴後などに評価されている。しかし、被験者の皮膚表面温度によって冷感が異なることから、外用剤が呈する冷感を客観的に評価することが困難である。これと同様に、温感刺激成分を含有する外用剤についても、被験者の皮膚表面温度によって温感が異なることから、外用剤が呈する温感を客観的に評価することが困難である。
【０００４】
したがって、冷感刺激成分を含有する外用剤が呈する冷感または温感刺激成分を含有する外用剤が呈する温感を客観的に容易に評価するために、ヒトの頚部などの部位における皮膚の表面温度を所定の温度に容易に制御することができる皮膚の表面温度制御装置の開発が待ち望まれている。
【先行技術文献】
【特許文献】
【０００５】
【特許文献１】特開２００２−２５５７３７号公報
【特許文献２】特開２００７−３３２０４７号公報
【考案の概要】
【考案が解決しようとする課題】
【０００６】
本考案は、前記従来技術に鑑みてなされたものであり、ヒトの頚部などの部位における皮膚の表面温度を所定の温度に容易に制御することができる皮膚の表面温度制御装置を提供することを課題とする。
【課題を解決するための手段】
【０００７】
本考案は、
（１）  皮膚の表面温度を制御するための表面温度制御装置であって、湾曲状に形成され、可撓性を有するヘッドベルト、および当該ヘッドベルトの両端に温度制御部を有し、当該温度制御部の表面温度を制御するための熱媒体供給路が温度制御部に配設されていることを特徴とする皮膚の表面温度制御装置、
（２）  熱媒体供給路が温度制御部の人体と接触する面に配設されてなる前記（１）に記載の皮膚の表面温度制御装置、および
（３）  熱媒体供給路として熱媒体を導入するためのチューブが用いられ、当該チューブがヘッドベルトに内挿され、一方の温度制御部で巻回され、次いでヘッドベルトに内挿され、他方の温度制御部で巻回され、再びヘッドベルトに内挿されてなる前記（１）または（２）に記載の皮膚の表面温度制御装置
に関する。
【考案の効果】
【０００８】
本考案の皮膚の表面温度制御装置によれば、ヒトの頚部などの部位における皮膚の表面温度を所定の温度に容易に制御することができるという優れた効果が奏される。
【図面の簡単な説明】
【０００９】
【図１】本考案の皮膚の表面温度制御装置の一実施態様を示す概略説明図である。
【図２】本考案の表面温度制御装置が用いられた皮膚表面温度制御システムの一実施態様を示す概略説明図である。
【考案を実施するための形態】
【００１０】
本考案の皮膚の表面温度制御装置は、前記したように、皮膚の表面温度を制御するための表面温度制御装置であり、湾曲状に形成され、可撓性を有するヘッドベルト、および当該ヘッドベルトの両端に温度制御部を有し、当該温度制御部の表面温度を制御するための熱媒体供給路がヘッドベルトおよび温度制御部に配設されていることを特徴とする。
【００１１】
以下に本考案の皮膚の表面温度制御装置を図面に基づいて具体的に説明するが、本考案は、当該画面に記載された実施態様のみに限定されるものではない。
【００１２】
図１は、本考案の皮膚の表面温度制御装置１の一実施態様を示す概略説明図である。
【００１３】
図１において、皮膚の表面温度制御装置１は、湾曲状に形成され、可撓性を有するヘッドベルト２、およびヘッドベルト２の両端に温度制御部３ａ，３ｂを有し、温度制御部３ａ，３ｂの表面温度を制御するための熱媒体供給路４がヘッドベルト２および温度制御部３ａ，３ｂに配設されている。
【００１４】
ヘッドベルト２は、本考案の皮膚の表面温度制御装置１をヒトの頭部で固定するためのものであり、湾曲状に形成され、可撓性を有する材料、例えば、可撓性を有する金属、樹脂、ゴムなどからなるプレート、チューブなどで形成させることができる。図１に示される実施態様では、ヘッドベルト２は、可撓性を有する金属、樹脂、ゴムなどからなるチューブ状ヘッドベルト２が用いられているが、本考案は、当該実施態様のみに限定されるものではない。ヘッドベルト２は、常態では円弧状に近似した形状を有し、可撓性を有することから、ヒトの頭部などに装着したときには当該ヒトの頭部などの形状に対応する形状に容易に変形させることができる。
【００１５】
ヘッドベルト２の両端には、温度制御部３ａ，３ｂが配設されている。温度制御部３ａ，３ｂは、ヒトの頚部などの部位における皮膚の表面温度を所定の温度に容易に制御するためのものである。温度制御部３ａ，３ｂには、当該温度制御部３ａ，３ｂの表面温度を制御するための熱媒体供給路４が形成されている。熱媒体供給路４は、ヒトの頚部などの部位における皮膚の表面温度を所定の温度に的確に制御する観点から、人体と接触する面に配設されていることが好ましい。
【００１６】
図１に示される実施態様では、熱媒体供給路４は、チューブを巻回することによって形成されているが、ヒトの頚部などの部位における皮膚の表面温度を所定の温度に容易に制御するものであればよく、本考案は、かかる実施態様のみに限定されるものではない。前記チューブの材質としては、シリコーンゴム、天然ゴム、スチレン−ブタジエンゴムなどのゴム、ポリエチレン、ポリプロピレンなどの熱可塑性樹脂などが挙げられるが、本発明は、かかる例示のみに限定されるものではない。これらのチューブの材質のなかでは、ヒトの皮膚に対する滑らかさを有することから、ゴムが好ましい。
【００１７】
図１に示される実施態様において、熱媒体供給路４を構成しているチューブの両端は、ヘッドベルト２に内挿されており、ヘッドベルト２の中央部に設けられている開口部５を介して本考案の皮膚の表面温度制御装置１の外部から熱媒体を供給することができる。
【００１８】
熱媒体供給路４を構成しているチューブには、熱媒体を導入するためのチューブが用いられており、当該チューブは、ヘッドベルト２に内挿され、一方の温度制御部３ａで巻回され、次いでヘッドベルト２に内挿され、他方の温度制御部３ｂで巻回され、再びヘッドベルトに内挿されている。熱媒体供給路４を構成しているチューブは、より具体的には、例えば、本考案の皮膚の表面温度制御装置１の外部からヘッドベルト２の中央部に設けられている開口部５を介してヘッドベルト２に内挿され、一方の温度制御部３ａで巻回された後、再度、ヘッドベルト２に内挿され、他方の温度制御部３ｂで巻回され、次いで再びヘッドベルト２に内挿され、開口部５を介して本考案の皮膚の表面温度制御装置１の外部と接続されるように形成されていてもよい。
【００１９】
熱媒体供給路４は、図１に示されるように直接ヒトの頚部などの温度が制御される部位に接触するように設けられていてもよく、間接的にヒトの頚部などの温度が制御される部位に接触するように設けられていてもよい。
【００２０】
熱媒体供給路４内に導入される熱媒体は、液体であってもよく、あるいは気体であってもよいが、ヒトの頚部などの部位における皮膚の表面温度を所定の温度に迅速に制御することができることから、液体であることが好ましい。液体としては、例えば、水、水と低級アルコール、水溶性ケトン化合物などの水溶性有機溶媒との混合溶媒、シリコーンオイルなどのオイルなどが挙げられるが、本考案は、かかる例示のみに限定されるものではない。
【００２１】
本考案の表面温度制御装置１は、例えば、皮膚表面温度制御システムを用いて稼働させることができる。図２は、当該皮膚表面温度制御システムの一実施態様を示す概略説明図である。
【００２２】
図２に示される皮膚表面温度制御システムにおいて、本考案の表面温度制御装置１の熱媒体供給路４ａ，４ｂは、ポンプ６を介して熱媒体の温度コントローラー７と接続されている。図２に示されるように、温度コントローラー７で所定の温度に調節された熱媒体は、ポンプ６により、熱媒体供給路４ａを介して本考案の表面温度制御装置１の熱媒体供給路４内に送入され、熱媒体供給路４内を通過した熱媒体は、熱媒体供給路４ｂから排出された後、温度コントローラー７に還流される。
【００２３】
図２に示される実施態様においては、熱媒体供給路４は、被験者Ｘの頸部の耳下部に接触されているが、熱媒体供給路４を被験者Ｘの皮膚に接触させる部位については、特に限定がない。
【００２４】
熱媒体供給路４を被験者Ｘの皮膚に接触させる際、当該熱媒体供給路４の皮膚接触面における温度は、特に限定されないが、通常、ヒトが皮膚の損傷または疾患を伴うことなく知覚することができる温度であり、１０〜５０℃の温度範囲内から適宜選択されることが好ましい。
【００２５】
本考案の表面温度制御装置を用いれば、ヒトの皮膚の表面温度の相違による被験試料の温冷感の強弱などを容易に評価することができる。
【００２６】
したがって、本考案の表面温度制御装置を用いることにより、例えば、被験者が寒さを感じる環境では当該被験者に温感を与えるが、被験者が寒さを感じない環境では当該被験者に過度の温感を与えない温感刺激成分、被験者が暑さを感じる環境では当該被験者に冷感を与えるが、被験者が暑さを感じない環境では当該被験者に過度の冷感を与えない冷感刺激成分を含有する外用剤の開発を行なう際に好適に用いることができる。
【符号の説明】
【００２７】
１    表面温度制御装置
２    ヘッドベルト
３ａ  温度制御部
３ｂ  温度制御部
４    熱媒体供給路
４ａ  熱媒体供給路
４ｂ  熱媒体供給路
５    開口部
６    ポンプ
７    温度コントローラー
【図１】
0003180582.tif 000003
【図２】
0003180582.tif 000004